(57)【要約】【課題】内装材の取付に影響の出ないバルコニーなどの付属物の取付構造を提供すること。【解決手段】建物外壁面にバルコニー等の付属物を取付ボルトで取り付けた付属物の取付構造である。建物外壁面１６を形成する外壁内部には棒状構造部材（縦枠１３）が設けられ、この棒状構造部材１３の内部に取付ボルト２９と螺合する雌ねじ部材２２が設けられている。これにより、内装材の取付に影響の出ないバルコニーなどの付属物の取付構造が提供される。また、この取付構造は、付属物の傾きを調整する調整手段を備えていてもよい。これにより、付属物の取付に前傾が生じた場合にも前傾を解消することができる。【選択図】図１
2004044363.tif 000002
【特許請求の範囲】
【請求項１】
建物外壁面にバルコニー等の付属物を取付ボルトで取り付けた付属物の取付構造であって、
前記建物外壁面を形成する外壁内部には棒状構造部材が設けられ、この棒状構造部材の内部に前記取付ボルトと螺合する雌ねじ部材が設けられていることを特徴とする付属物の取付構造。
【請求項２】
建物外壁面にバルコニー等の付属物を取付ボルトで取り付けた付属物の取付構造であって、
前記建物外壁面を形成する外壁内部には隣接する縦枠材が設けられ、この隣接する縦枠材に跨って前記取付ボルトと螺合する雌ねじ部材を前記外壁内部に配置する受金具が設けられていることを特徴とする付属物の取付構造。
【請求項３】
建物外壁面にバルコニー等の付属物を取付ボルトで取り付けた付属物の取付構造であって、
前記建物外壁面を形成する外壁内部には前記付属物を固定する固定部材が設けられ、この固定部材には前記取付ボルトと螺合する雌ねじ部材が前記外壁内部に配置されて設けられていることを特徴とする付属物の取付構造。
【請求項４】
前記付属物は、該付属物の底面に掛かる垂直荷重を建物外壁面に沿って流す支持部材により支持されて固定されていることを特徴とする請求項１〜３のいずれかに記載の付属物の取付構造。
【請求項５】
前記取付構造は、前記付属物の傾きを調整する調整手段を備えていることを特徴とする請求項１〜４のいずれかに記載の付属物の取付構造。
【請求項６】
前記調整手段は、前記付属物を下から支持する支持部材と、該支持部材と前記付属物との間に隙間を発生させる隙間発生手段と、該隙間発生手段によりに発生した隙間に差し込み可能なスペーサとから構成されることを特徴とする請求項５に記載の付属物の取付構造。
【請求項７】
枠組の両面に外壁面材と内壁面材が張着され、この枠組は、内部に雌ねじ部材が設けられた棒状構造部材を含んで構成されていることを特徴とする外壁パネル。
【請求項８】
枠組の両面に外壁面材と内壁面材が張着され、この枠組の隣接する縦枠に跨って、雌ねじ部材が設けられた受金具が設けられていることを特徴とする外壁パネル。
【請求項９】
請求項７又は請求項８記載の外壁パネルを外壁として組み込んだ建物ユニット。
【発明の詳細な説明】
【０００１】
【発明の属する技術分野】
この発明は、バルコニー等の張り出し床を備えた張り出し台などの付属物の取付構造及びそれに用いる外壁パネルに関する。
【０００２】
【従来の技術】
従来から、建物の外壁面にバルコニーなどの付属物を設置した建物が知られており、これらの付属物の取付構造が種々提案されている。
【０００３】
例えば、バルコニーを外壁面に取り付けるために補強材を外壁に設けた構造が提案されている。（例えば、特許文献１参照。）。
【０００４】
また、バルコニーを下方からブラケットで支持した構造が提案されている（例えば、特許文献２参照。）。
【０００５】
また、予め工場で製造したほぼ箱状の建物ユニットを建築現場へ複数輸送し、建築現場で複数の建物ユニットを組み立てるユニット工法でバルコニー等の付属物を外壁から張り出して取り付けるには、一般に建物ユニットの四隅の柱を利用している。
【０００６】
例えば、下階の建物ユニット（下階ユニットＵ１）の上に上階の建物ユニット（上階ユニットＵ２）が配置され、上階ユニットＵ１の側面にバルコニーＢａが設置された構造がしられており、このバルコニーＢａはコーナーに設けられた柱に柱頭金物を設けて固定されている（例えば、特許文献３参照。）。
【０００７】
【特許文献１】
特開昭６３−７０７３１号公報
【特許文献２】
実開昭６０−７７６０１号公報
【特許文献３】
特開２００１−１０７４４８号公報
【０００８】
【発明が解決しようとする課題】
しかしながら、特許文献１の公報記載の構造では、ボルト頭が補強材の室内側に突出するため、内装材の設計に影響が出る。また、ボルト取付が完了するまで、内装材が取り付けできず、現地工期が延びるという問題点がある。
【０００９】
また、特許文献２の公報記載の構造では、ブラケットは側根太（胴差し）に固定されているが、ブラケットの位置に都合よく側根太がない場合もあり、壁パネルの縦枠に止めなければならない。ここで、壁パネルの縦枠１本は側根太に比べると断面も小さく弱いので、１本の縦枠のみではバルコニーの重量によっては十分な強度が得られない。
【００１０】
また、四隅の柱を利用する方法では、バルコニーの幅が必ず建物ユニットの幅と同一サイズにならなければならないという制約があった。
【００１１】
本発明は、内装材の取付に影響の出ないバルコニーなどの付属物の取付構造を提供することを目的とする。
【００１２】
【課題を解決するための手段】
上記課題を解決するために、請求項１に記載された発明では、建物外壁面にバルコニー等の付属物を取付ボルトで取り付けた付属物の取付構造であって、
前記建物外壁面を形成する外壁内部には棒状構造部材が設けられ、この棒状構造部材の内部に前記取付ボルトと螺合する雌ねじ部材が設けられていることを特徴とする付属物の取付構造である。
【００１３】
このように構成すれば、棒状構造部材の内部に設けられた雌ねじ部材に取付ボルトを螺合してバルコニーなどの付属物が外壁内部に設けられた棒状構造部材に取り付けられるが、付属物は、棒状構造部材により取り付けられるので確実に固定できる。
【００１４】
また、取付ボルトに螺合される雌ねじ部は、棒状構造部材の内部に設けられているので、取付に際して内装材側から雌ねじ部を固定操作する必要がなく、したがって内装材を先に取り付けても付属物を取付ボルトを用いて固定することができる。
【００１５】
請求項２記載の発明は、建物外壁面にバルコニー等の付属物を取付ボルトで取り付けた付属物の取付構造であって、前記建物外壁面を形成する外壁内部には隣接する縦枠材が設けられ、この隣接する縦枠材に跨って前記取付ボルトと螺合する雌ねじ部材を前記外壁内部に配置する受金具が設けられていることを特徴とする付属物の取付構造である。
【００１６】
このように構成すれば、受金具に設けられた雌ねじ部材に取付ボルトを螺合してバルコニーなどの付属物が外壁内部に設けられた隣接する縦枠材に取り付けられるが、付属物は隣接する複数の縦枠材に取り付けられるので確実に固定できる。
【００１７】
また、取付ボルトに螺合される雌ねじ部は、受金具に固定されて外壁内部に配置されるので、取付に際して内装材側からは雌ねじ部を固定操作する必要がなく、したがって内装材を先に取り付けても付属物を取付ボルトを用いて固定することができる。
【００１８】
請求項３記載の発明は、建物外壁面にバルコニー等の付属物を取付ボルトで取り付けた付属物の取付構造であって、前記建物外壁面を形成する外壁内部には前記付属物を固定する固定部材が設けられ、この固定部材には前記取付ボルトと螺合する雌ねじ部材が前記外壁内部に配置されて設けられていることを特徴とする付属物の取付構造である。
【００１９】
このように構成すれば、固定部材に設けられた雌ねじ部材に取付ボルトを螺合してバルコニーなどの付属物が固定部材に取り付けられる。
【００２０】
また、取付ボルトに螺合される雌ねじ部は、外壁内部に配置された固定部材に固定されるので、取付に際して内装材側からは雌ねじ部を固定操作する必要がなく、したがって内装材を先に取り付けても付属物を取付ボルトを用いて固定することができる。
【００２１】
請求項４記載の発明は、前記付属物は、該付属物の底面に掛かる垂直荷重を建物外壁面に沿って流す支持部材により支持されて固定されていることを特徴とする請求項１〜３のいずれかに記載の付属物の取付構造である。
【００２２】
このように構成すれば、付属物の下面は建物外壁面に沿って荷重を流す支持部材により支持されて固定されているので、付属物からの垂直荷重を支持部材を介して外壁面に沿って有効に伝達することができる。
【００２３】
請求項５記載の発明は、前記取付構造は、前記付属物の傾きを調整する調整手段を備えていることを特徴とする請求項１〜４のいずれかに記載の付属物の取付構造である。
【００２４】
このように構成すれば、調整手段により付属物の傾きを調整できるので特に出寸法の大きなバルコニーなどの付属物での前傾（設計上の傾きより突出端が下がった状態）を解消することができる。これにより、新築時は元より、経時的に前傾した場合でも付属物の設計上の傾き状態（水平）を維持することができ、安定感のある外観やバルコニーなどの床の勾配を維持することができる。
【００２５】
請求項６記載の発明は、前記調整手段は、前記付属物を下から支持する支持部材と、該支持部材と前記付属物との間に隙間を発生させる隙間発生手段と、該隙間発生手段によりに発生した隙間に差し込み可能なスペーサとから構成されることを特徴とする請求項５に記載の付属物の取付構造である。
【００２６】
このように構成すれば、付属物と支持部材との間に隙間を開けて該隙間にスペーサを介在させるという簡単な作業により付属物の前傾を解消することができる。
【００２７】
請求項７記載の発明は、枠組の両面に外壁面材と内壁面材が張着され、この枠組は、内部に雌ねじ部材が設けられた棒状構造部材を含んで構成されていることを特徴とする外壁パネルである。
【００２８】
請求項８記載の発明は、枠組の両面に外壁面材と内壁面材が張着され、この枠組の隣接する縦枠に跨って、雌ねじ部材が設けられた受金具が設けられていることを特徴とする外壁パネルである。
【００２９】
また、請求項７又は請求項８記載の外壁パネルは、取付ボルトとの固定部が外壁の外に突出することが無いので、外壁材として建物ユニットに組み込んで用いることができる。
【００３０】
【発明の実施の形態１】
以下、本発明の実施の形態１について図面に基づいて説明する。
【００３１】
まず、構成を説明すると、本発明に係るユニット建物では、図１に示すように、基礎上に下階建物ユニットＵ１…が複数隣接配置（図では一つ）され、各下階建物ユニットＵ１…の上部にそれぞれ上階建物ユニットＵ２…が複数隣接状態で載置（図では一つ）されてユニット建物Ｔが構成されている。このユニット建物Ｔでは、建物外壁面にバルコニー支持用の棒状構造部材１０が設けられて、付属物としてのバルコニーユニットＢはこの棒状構造部材１０にボルト（不図示）により固定されている。
【００３２】
ここで、各建物ユニットＵ（Ｕ１，Ｕ２）は、４本の柱の上下端間を梁で連結してなるボックスラーメン構造の鉄骨枠に面パネルを取り付けた鉄骨系の建物ユニットであってもよいし、面パネルを箱状に組み合わせてなる木質系の建物ユニットであってもよい。また、付属物はバルコニーに限らず壁面から張り出して固定されるものであれば何でもよく、図１に示すような箱形のバルコニーＢａに限らず円形のバルコニーであってもよい。
【００３３】
以下の説明では、便宜上、図２に示すように、枠組壁工法に従う木質系の建物ユニットＵを接合させたユニット建物Ｔの外壁面に張り出した張り出し床を備えた円形のボウバルコニーユニット（バルコニーユニットＢａ、以下単にバルコニーＢａという。）を固定した場合について詳細に説明する。
【００３４】
この枠組壁工法では、図３に示すように、床パネル１の両妻側に妻壁パネル２，２が搬送されて立設され、ついで、床パネル１の桁壁側に桁壁パネル３が搬送されて立設され、両妻壁パネル２，２に接合されて、壁と床の垂直・水平組立てが高精度に行われて構造体としての建物ユニットＵが形成される。
【００３５】
このような壁パネル（２又は３）では、上枠（頭つなぎ）１１、下枠１２及び複数の縦枠１３…で構成された矩形の枠組１４と、その枠組１４の側面に固定された内壁面材１５（図３にはない）と外壁面材１６とを備えており、鉛直方向の荷重を主にこの枠組１４で支え、水平方向の荷重をこの枠組１４と内壁面材１５及び外壁面材１６とで支えている。とくに垂直方向の荷重を支えるのに重要な縦枠１３…については荷重計算により求めた一定のピッチで設けられている。ここで、この縦枠１３は、本発明に従う棒状構造部材又は固定部材である。
【００３６】
この建物ユニットＵは、必要に応じて電気配線や断熱材の充填が行われ、内壁面材１５としての内壁石膏ボードが打ちつけられて、一つの建物ユニットＵが完成する。
【００３７】
このような建物ユニットＵ…は工場で生産されて棟上げ工事に合わせて大型のフォークリフトで専門の輸送トラックに積み込まれて出荷される。工場から出荷された建物ユニットＵは、建築現場でボルト、接合金物（ジョイントプレートなど）及び釘を用いて組み立てられて棟上げ作業が進められる。
【００３８】
ここで、内壁面材１５は、建物ユニットＵの組立後に取り付ける構成としているが内壁面材１５及び外壁面材１６が予め張着された外壁パネルを妻壁パネル２又は桁壁パネル３として用いてもよい。
【００３９】
建物外壁の所定の位置にある一対の縦枠１３，１３にバルコニーＢａの両袖壁１７，１７が取付ボルト（不図示）によりそれぞれ固定されて、ユニット建物Ｔとして住まいの外観が完成する。以下に、この縦枠１３と袖壁１７との固定構造の詳細を説明する。
【００４０】
この桁壁パネル縦３では、図４に示すように、上階建物ユニットＵ２の下枠１２と不図示の上枠１１とに跨って集成材からなる縦枠１３…が固定されて枠組１４が形成されている。この縦枠１３の床パネル１と固定される位置には床受材４が横架されている。図示の縦枠１３はバルコニーＢａを固定する受木桟として機能され、この縦枠１３には室内側１８に向けた所定位置に所定間隔を開けて凹所１９…（図面では３箇所）が形成されている。
【００４１】
この凹所１９…には、図５に示すように、屋外側２０に向けて貫通孔２１が形成され、この貫通孔２１に中心を合わせてナット付プレート２２が釘２３により固定された後、枠組１４（縦枠１３）の内面に内壁面材１５が張着されている。また、枠組１４の外面には、外壁面材１６が張着されており、この外壁面材１６の貫通孔２１の位置にはボルト止用の貫通孔２４が形成されている。
【００４２】
一方、バルコニーＢａは張り出し床としての床フレーム２５と床フレーム２５から両側に立設されて手摺立上り２６、袖壁フレーム２７を有している。この袖壁フレーム２７は、３箇所の所定位置にボルト止め用の貫通孔２８を備えている。
【００４３】
図５に示すように、取付ボルト２９…を各貫通孔２８…，２４…，２１…に貫通させてナット付きプレート２２…に螺合させてバルコニーＢａを固定する。
【００４４】
このように構成すれば、図４、図６に示すように、縦枠１３の凹所１９に設けられたナット付プレート２２に取付ボルト２９を螺合して袖壁フレーム２７が固定される。これにより、バルコニーＢａなどの付属物が外壁内部に設けられた縦枠１３…に固定されるが、この縦枠１３…は棒状構造部材であるので、バルコニーを確実に固定できる。
【００４５】
また、取付ボルト２９の長さを適切にすることにより、ナット付きプレート２２に螺合して貫通したボルト尾部３０を内壁面材１５に到達させないで固定することができるので、内壁面材１５が張着された壁パネル（妻壁パネル２，桁壁パネル３）を用いても取付ボルト２９による取付を行うことができる。
【００４６】
【変形例１】
本発明において、取付ボルト２９と螺合する雌ねじ部は枠組１４の内部に位置されて固定されていればどのような構成で固定されていてもよい。例えば、ナット付プレート２２に代えてピン型ナットを利用してもよい。
【００４７】
ここで、図７に示すように、棒状構造部材としての縦枠１３にピン型ナット３１…が埋設されている。このピン型ナット３１は、縦枠１３の所定の位置に所定の間隔を開けて形成された各貫通孔２１…に位置決めされてそれぞれ設けられている。これにより、取付ボルトとしてのボルト・ナット２９Ａ…を各貫通孔２８…，２４…，２１…に貫通させてピン型ナット３１…に螺合させてバルコニーＢａを固定する。
【００４８】
このように構成すれば、縦枠１３内に設けられたナット付プレート２２にボルト・ナット２９Ａを螺合して袖壁フレーム２７が固定される。これにより、バルコニーＢａなどの付属物が外壁内部に設けられた縦枠１３に固定されるが、この縦枠１３は棒状構造部材であるので、バルコニーを確実に固定できる。
【００４９】
また、ピン型ナット３１は縦枠１３内に埋設されているので、内壁面材１５が張着された壁パネル（２，３）を用いても取付ボルト２９によるバルコニーＢａの取付を行うことができる。
【００５０】
【変形例２】
以上のように構成されたバルコニーにおいて、床フレーム２５の下面から適宜に支えてもよい。
【００５１】
この変形例２では、床フレーム２５の下面から支える支持材として、図８に示すような建物外壁面に沿って荷重を流す支持部材３２（３２Ａ）が用いられる。この支持部材３２Ａは、外壁面に固定するためのプレート３３とこのプレート３３に溶接固定されてプレート３３の平面を一稜線として三角形の枠を形成する二つの支持材３４、３５とから構成されている。プレート３３には取付固定用の複数の貫通孔３３ａ…が穿設されている。
【００５２】
このような支持部材３２Ａは、図９に示すように、バルコニーＢａの床フレーム２５が配置される適宜の２箇所（例えば、図面イ部）で建物外壁に固定される。
【００５３】
この桁壁パネル３では、図１０、図１１に示すように、縦枠１３，１３を跨って床台（渡し梁）３６が架設されている。この床台３６と下枠１２間の所定位置に所定の間隔を開けて一対の縦枠材３７，３７が固定されている。
【００５４】
この縦枠材３７，３７間には支持部材３２Ａの固定用の受金具３８が木ねじ３９…により固定されている。この受金具３８は支持部材３２Ａの固定用の貫通孔を備えその貫通孔の裏面には複数の裏ナット３８ａ…が溶接されている。これにより、ボルト４０…を用いて外壁面材１６を介してプレート３３と受金具３８を固定することにより、支持部材３２Ａが外壁面に固定される。
【００５５】
また、ボルト４１…により支持材３４と床フレーム２５とを固定することにより、床フレーム２５の底面は支持材３４により支えられる。ここで、この支持材３５とプレート３３とのなす角度は、この例では７２．５度である。
【００５６】
以上のように構成すれば、矢印ａで示された床フレーム２５に掛かる垂直荷重は、矢印ｂで示すように、支持材３５を伝わり、矢印ｃに従い、外壁面に伝わり建物駆体に流れる。これにより、棒状構造部材としての縦枠１３への負担が小さくなり、張り出し床としての床フレーム２５に垂直荷重が大きく掛かる場合にも、建物ユニットＵ２の外壁面に作用する水平力を低減させることができる。
【００５７】
また、これにより、外壁面自体の変性も小さくでき、バルコニーＢａの開口に設けたサッシの変形も少なくできる。
【００５８】
【変形例３】
このような支持部材３２は、図１２に示すような支持部材３２Ｂであってもよい。この支持部材３２Ｂでは壁面固定用のプレート３３とこのプレート３３に対して垂直に固定された三角形の板４２である。この板４２の上面４２ａが床フレーム２５の底面を受ける。
【００５９】
これにより、変形例２と同様にしてバルコニーユニットＢａに固定すれば、張り出し床としての床フレーム２５に垂直荷重が大きく掛かる場合にも、建物ユニットＵ２の外壁面に作用する水平力を低減させることができる。
【００６０】
【発明の実施の形態２】
以下、本発明の実施の形態２について図面に基づいて説明する。発明の実施の形態１と同一乃至は均等な部位部材は同一番号を付して詳細な説明は省略する。
【００６１】
発明の実施の形態１により取り付けられた付属物の取付構造では、付属物は方持ち式であるので、特に出寸法の大きなバルコニーでは前傾になりやすい。バルコニーが前傾すると外観上の問題が生じることがある。
【００６２】
また、図１１に示すような外壁面１６側（軒元側）に向けて床仕上げ材４２の床面４２ａに水勾配４３が形成されたバルコニーＢａでは、前傾により所望の水勾配が確保できないという課題を生じる場合がある。
【００６３】
ここで、この前傾は、外壁と平行に配置された軒元側の床フレーム２５（横フレーム２５ａという。）と軒先側の床フレーム２５（以下、横フレーム２５ｂという。）との間の高低差に起因され、これらの横フレーム２５ａ、２５ｂ間に横架された成の低いフレーム２５（以下、縦フレーム２５ｃという。）の上面に長手方向に沿って水平器などにより水平（傾き状態）を測定することにより確認できる。
【００６４】
これらの課題は、新築時には問題が無くても、経時的に前傾する場合がある。バルコニーなどの階上に設置される大型の付属物では経時的変化に対応するには、付属物の取付後に前傾を調整するのでは、一般に大がかりとなりやすい。
【００６５】
そこで、この発明の実施の形態２では、付属物の取付後も簡易に前傾を調整できる付属物の取付構造を提案している。
【００６６】
まず、この発明の実施の形態に係る付属物の取付構造においては、図１３、図１４に示すように、バルコニーＢａを下から支持する支持部材３２を備え、支持材３４とバルコニーＢａの床フレーム２５（横フレーム２５ｂ）との間に隙間５３を発生させる隙間発生手段を備えている。そしてこの隙間発生手段は、横フレーム２５ｂに溶接などにより固定されたプレート４５と、横フレーム２５ｂの内側に固定された裏ナット４８と、この裏ナット４８に締め込まれて支持材３４の上面に圧接して横フレーム２５ｂを押し上げる調整用ボルト５２と、得られた隙間に差し込まれるスペーサ４４とから大略構成されている。
【００６７】
このプレート４５は、図１５に示すように、横フレーム２５ｂに固定される固定部４６と軒先側には突出した突出部４７とを備えている。固定部４６には貫通孔４６ａが形成され、突出部４７には長手方向に向けて長孔４９が穿設されている。
【００６８】
このプレート４５は、床フレーム２５ｂの下面に固定部４６が固定され、突出部４７とともに支持材３４の上面３４ａに面して配置される。
【００６９】
貫通孔４６ａに位置決めされて横フレーム２５ｂにも貫通孔が形成され、その貫通孔の内側には裏ナット４８が固定されている。
【００７０】
また、図１６に示すように、長孔４９に略位置合わせされて支持材３２の先端には全ねじボルト５０が溶接により尾部５０ａを上方に向けて固定され、この尾部５０ａには取り外し可能に先端が尖ったキャップ５１が被せてある。
【００７１】
このような構造では、図１６に示すように、長孔４９に尾部５０ａを位置合わせしつつ挿嵌させて床フレーム２５を支持部材３２上に載置する。キャップ５１を取り外してナット５４を軽く固定する（このナット５４の固定は最後でもよい。）。不図示の棒状構造部材に付属物を取付ボルトにより固定後、縦フレーム２５ｃの前傾の程度を水平器を用いて確認する。
【００７２】
ここで、前傾が確認されると、裏ナット４８に高さ調整用ボルト５２をねじ込むことにより、図１７に示すように、支持材３２と横フレーム２５ｂとの間に隙間５３が生じる。この隙間５３に、図１３に示すように、スペーサ４４を差し込む。このスペーサ４４は、図１３に示すように、中央に全ボルト５０又は調整ボルト５２と干渉しないような逃げの凹所４４ａを備えたもので有れば、隙間５３への差し込みが容易であるが、このスペーサ４４の形状はこれに限らずに自由でよい。例えば、中央に逃げの凹所を備えた２分割されたスペーサであってもよい。
【００７３】
隙間５３の程度に応じた厚みのスペーサ４４を挿嵌した後、図１８に示すように、全ボルト５０にナット５４を締め込むことにより高さ調整が行える。調整用ボルト５２は必要に応じて取り外してもよい。
【００７４】
経時的に前傾した場合には、床材４２やその他の防水材、下地材などを取り外して調整手段を露出させ、ナット５４を緩めることにより、調整ボルト５２を締め込むことで、図１７と略同様に、横フレーム２５ｂとプレート４５との間に隙間５３を得ることができる。これにより、この隙間５３に上述と同様な操作によりスペーサ４４を差し込めばよい。
【００７５】
最後に水平器により水平（傾き状態）を確認後に調整作業が終了される。
【００７６】
以上のような付属物の取付構造によれば、付属物の取付作業中にも、取付後にも前傾を調整することができる。
【００７７】
【発明の効果】
以上説明してきたように、請求項１記載の発明によれば、内装材の取付に影響の出ないバルコニーなどの付属物の取付構造を提供することができる。また、請求項５に記載の発明によれば、付属物に前傾があった場合又は前傾が生じた場合にも前傾を調整できるという実用的な効果を発揮する。
【図面の簡単な説明】
【図１】本発明の実施の形態に係るユニット建物へのバルコニーユニットの取付状況を説明する全体斜視図である。
【図２】本発明の実施の形態に係るユニット建物の一例を説明する平面図である。
【図３】本発明の実施の形態に係る建物ユニットの一例を説明する組立分解図である。
【図４】図２のＡ−Ａ断面により本発明の実施の形態に係る固定構造を説明する部分断面図である。
【図５】図４の部分拡大図である。
【図６】図４のＢ−Ｂ断面図である。
【図７】図７（ａ）は変形例に係る断面構造を説明する部分拡大図であり、図７（ｂ）は、図７（ａ）のＣ−Ｃ断面図である。
【図８】変形例に係る支持部材を模式的に説明する斜視図である。
【図９】図７の支持部材を用いる変形例に係る建物ユニットの一例を説明する平面図である。
【図１０】図９のイ部のＤ−Ｄ断面により本発明の実施の形態に係る固定構造を説明する部分断面図である。
【図１１】図１０のＥ−Ｅ断面図である。
【図１２】変形例に係る支持部材を模式的に説明する斜視図である。
【図１３】発明の実施の形態に係る調整手段の構造を説明する平面図である。
【図１４】図１３のＦ−Ｆ断面により本発明の実施の形態に係る調整手段の構造を説明する部分断面図である。
【図１５】プレートの外形を説明する斜視図である。
【図１６】バルコニーの組み付け状況を説明する部分側面図である。
【図１７】バルコニーの組み付け状況を説明する部分側面図である。
【図１８】バルコニーの組み付け状況を説明する部分側面図である。
【符号の説明】
Ｕ１：下階建物ユニット
Ｕ２：上階建物ユニット
Ｔ：ユニット建物
Ｂａ：バルコニー（ボウバルコニーユニット、バルコニーユニット）
１：床パネル
２：妻壁パネル（外壁パネル）
３：桁壁パネル（外壁パネル）
１１：上枠
１２：下枠
１３：縦枠（棒状構造部材、固定部材）
１４：枠組
１５：内壁面材
１６：外壁面材
１７：袖壁
１８：室内側
１９：凹所
２０：屋外側
２１：貫通孔
２２：ナット付プレート
２３：釘
２４：貫通孔
２５：床フレーム（張り出し床）
２６：手摺立上り
２７：袖壁フレーム
２８：貫通孔
２９：取付ボルト
３０：ボルト尾部
３１：ピン型ナット
３２（３２Ａ、３２Ｂ）：支持部材
３３：プレート
３４：支持材
３５：支持材
３６：床台
３７：縦枠材
３８：受金具
３９ａ：裏ナット
３９：木ねじ
４０：ボルト
４１：ボルト
４２：床仕上げ材
４２ａ：床面
４３：水勾配
４４：スペーサ
４５：プレート
４６：固定部
４６ａ：貫通孔
４７：突出部
４８：裏ナット
４９：長孔
５０：全ねじボルト
５０ａ：尾部
５１：キャップ
５２：調整用ボルト
５３：隙間
５４：ナット
【図１】
2004044363.tif 000003
【図２】
2004044363.tif 000004
【図３】
2004044363.tif 000005
【図４】
2004044363.tif 000006
【図５】
2004044363.tif 000007
【図６】
2004044363.tif 000008
【図７】
2004044363.tif 000009
【図８】
2004044363.tif 000010
【図９】
2004044363.tif 000011
【図１０】
2004044363.tif 000012
【図１１】
2004044363.tif 000013
【図１２】
2004044363.tif 000014
【図１３】
2004044363.tif 000015
【図１４】
2004044363.tif 000016
【図１５】
2004044363.tif 000017
【図１６】
2004044363.tif 000018
【図１７】
2004044363.tif 000019
【図１８】
2004044363.tif 000020